(57)【要約】【課題】使用者は電力使用状況を明確に知ることができ、また節電することもできる電力計量装置を提供する。【解決手段】  主に電気ユニットを含み、該電気ユニットは電力使用状況を探知可能な電気メーターモジュール、及び負荷或いは出力端を含む。該電気メーターモジュールは電力入力端と負荷或いは出力端の間に設置し、該負荷或いは出力端が電力入力端から取得し使用した電力を探知、並びに計算し、表示ユニットにより使用した電力の統計数値を表示する。【選択図】図２
0003132583.tif 000002
【実用新案登録請求の範囲】
【請求項１】
主に電気ユニットを含み、該電気ユニットは電力使用状況を探知可能な電気メーターモジュール、及び負荷或いは出力端を含み、該電気メーターモジュールは電力入力端と負荷或いは出力端の間に設置し、該負荷或いは出力端が電力入力端から取得し使用した電力を探知、並びに計算し、表示ユニットを経由し使用した電力の統計数値を表示することを特徴とする電力計量装置。
【請求項２】
前記電気メーターモジュールは探知ユニット、処理ユニット、保存ユニット、表示ユニットを含み、該探知ユニットは電力入力端の電圧の高さ及び電流の大きさを探知し、該処理ユニットは該探知ユニットが探知計測した電圧値及び電流量を受け取り、電力及び累積度数等の関連数値を計算し、該数値を該保存ユニットに伝送し記録し、同時に該表示ユニットを通して表示することを特徴とする請求項１記載の電力計量装置。
【請求項３】
前記電気メーターモジュールはさらに入力ユニットを設置することを特徴とする請求項２記載の電力計量装置。
【請求項４】
前記処理ユニットは統合型チップ構造であることを特徴とする請求項２或いは３記載の電力計量装置。
【請求項５】
前記負荷或いは出力端は電力を消費する構造であることを特徴とする請求項１或いは２或いは３記載の電力計量装置。
【請求項６】
前記負荷或いは出力端は電力を消費する構造であることを特徴とする請求項４記載の電力計量装置。
【請求項７】
前記負荷或いは出力端は電力を出力する構造であることを特徴とする請求項１或いは２或いは３記載の電力計量装置。
【請求項８】
前記負荷或いは出力端は電力を出力する構造であることを特徴とする請求項４記載の電力計量装置。
【請求項９】
前記電力出力構造は挿入台装置であることを特徴とする請求項７或いは８記載の電力計量装置。
【考案の詳細な説明】
【技術分野】
【０００１】
本考案は一種の電力計量装置に関する。特に一種の電気ユニットの電力入力端と負荷端及び両者間に設置する電気メーター等部分を含み、電気ユニット或いは電力線ルート上の電力使用状況を計測する新型電力計量装置に係る。
【背景技術】
【０００２】
電力供給システムにおいて、電力会社から電力が使用場所まで送電された後は、ユーザーのフロントエンド（電力会社エンド）には図１に示すような電気メーターを設置し、該ユーザーの使用電力の度数を計測し、メーター記録員の記録の依拠とする。また使用者が自身の電力使用の状況を知りたければ、同様に該電気メーターの数値を調べれば良い。電力会社が提供する電気メーターは電気メーターのリアエンド（ユーザーエンド）において全体の使用電力量の統計を提示する。しかし、もしさらにその内の詳細な使用状況を知ろうとするなら、すべての電気製品を消し、計測が必要な電気製品のみをつけ電気メーターの数値を観察する、或いは総電源からそれぞれ伸びる異なる電気回路に対して、該各回路の使用量を逐一計測するなど、一々計測する方式を採らざるを得ず、操作が非常に面倒である。しかもこの方法は、全体的な電力使用に影響を及ぼさないようにするため、別に時間を設けて行わなければならない。この他、三用電気メーター或いはフック式電気メーターを利用し電圧及び電流を計測する場合、電力使用状況を知ることができる別の方式は、代表的には以下のように言うことができる。すなわち、オームの法則Ｐ＝ＩＥ（消費電力＝電流×電圧）の原理を利用し、電気メーターが計測した電圧及び電流を相乗し、該計測物の電力消費状況を知ることができる。しかし、なじみのある電価計算単位に転換し、さらに得られた数値に使用の時間を掛ける必要がある。このため、使用者が自身の電力使用状況を知ることは容易ではなく、電力に関する知識が必要である他、三用電気メーター、フック式電気メーター、電力計等の関連器材を所有していなければならない。エネルギー消費が増え続けている現在、政府機関はエネルギーの節約を呼びかけている。省エネ製品を使用することも一つの方式だが、一般市民が取組むことができるさらに容易な方式は、みなが簡単にかつ具体的に電力使用の状況を知ることで、これによりエネルギー消費の節減を実質的に向上させることができる。
【考案の開示】
【考案が解決しようとする課題】
【０００３】
本考案は上記構造の問題点を解決した電力計量装置を提供するものである。
【課題を解決するための手段】
【０００４】
上記課題を解決するため、本考案は下記の電力計量装置を提供する。それは主に電力計量装置を提供し、それは電気ユニットを含み、該電気ユニットは電力使用状況を探知可能な電気メーターモジュール、及び負荷或いは出力端を含み、該電気メーターモジュールは電力入力端と負荷或いは出力端の間に設置し、該負荷或いは出力端が電力入力端から取得し使用した電力を探知、並びに計算し、表示ユニットにより使用した電力の統計数値を表示し、使用者は電力使用状況を明確に知ることができる作用を備える電力計量装置を提供する。
【考案の効果】
【０００５】
上記のように、本考案が提供する電力計量装置は一般の民生電気製品、電力回路のフロントエンドにおいて電力計量装置を結合し、該電器ユニットの負荷或いは出力電力の総量を記録及び表示することで、使用者は効率的な電力使用及び省エの概念を運用することができ、電力消費全体の効率を高め、非常に大きな進歩を備える。
【考案を実施するための最良の形態】
【０００６】
図２に示すように、本考案の主要構造は電気ユニット1を含む。該電気ユニット1は電力使用状況を探知可能な電気メーターモジュール10、及び負荷或いは出力端11を含む。該電気メーターモジュール10は電力入力端Aと該負荷或いは出力端11の間に設置し、該負荷或いは出力端11が該電力入力端Aから取得し使用した電力を探知し計測する。図３に示すように、該電気メーターモジュール10内部の主要機能構造は、該電気メーターモジュール10は探知ユニット101、処理ユニット102、保存ユニット103、表示ユニット104、入力ユニット105を含む。
該探知ユニット101は該電力入力端Aの電圧の高さ及び電流の大きさを探知計測する。該処理ユニット102は該探知ユニット101が探知計測した電圧値及び電流量を受け取り、演算を行い、電力及び累積度数等の関連数値を得る。該数値は該保存ユニット103に伝送し記録し、同時に該表示ユニット104を通して該関連数値を表示する。本実施例中では、さらに入力ユニット105を設置し、使用者は該保存ユニット103に記録した数値を操作及び切り換える。該処理ユニット102を通して、数値を該表示ユニット104に伝送し表示する。
【０００７】
図４〜図６は本考案電力計量装置の異なる型態の実施例である。図４は、挿入台装置を本考案電力計量装置に結合する実施例で、電力入力端A（図示なし）は装置背後の電源連接孔に設置し、挿入台型態の負荷或いは出力端11に連接する。該電気メーターモジュール10は電源連接孔（図示なし）及び挿入台の間に連接し、電力使用の状況を探知、表示する。別に該電気メーターモジュール10上の入力ユニット105を操作し、表示する資料及び関連計測機能の設定を変更することができる。図５は、延長コード装置を結合する本考案の別種の実施例を示す。図４に示す実施例と同様に、該電気ユニット1は電力計量装置の延長コード装置を備え、コンセント型態の電力入力端A、少なくとも１個の挿入台型態の負荷或いは出力端11、該電力入力端A及び負荷或いは出力端11の間に設置する電気メーターモジュール10を含む。該電気メーターモジュール10は出力端の各挿入台孔が出力する電力を計測することができ、同時に該電気メーターモジュール10上の入力ユニット105を操作可能で、表示資料及び関連計測機能の設定を変更することができる。
【０００８】
図６は本考案構造のさらに別種の実施例を示す。該電器ユニット1は電気鍋型態で、ポート状型態の電力入力端A、電気メーターモジュール10を含む。該ポート状型態の電力入力端Aは加熱部品である負荷或いは出力端11（図示なし）に連接し、該電気メーターモジュール10は該電力入力端A及び負荷或いは出力端11の間に設置する。該電気メーターモジュール10は該加熱部品が消費する電力を計測し、同時に該電気メーターモジュール10上の入力ユニット105を操作可能で、表示の資料及び関連計測機能の設定を変更することができる。採用する実施例の電気メーターモジュール10はさらにマイクロコンピュータ制御のモジュールと結合可能で、これにより、省エネ設計、安全断電等機能作用のより多元的な機能設計を提供することができる。本考案の電力計量装置の電気メーターモジュール10の処理ユニット102は統合型チップを選択し各タイプの電気製品に設置可能で、これにより該電気メーターモジュール10の体積を縮小することができる。
【０００９】
本考案のまたさらに別種の実施例である図７に示すように、電力回路のフロントエンドには本考案構造を備えた電気ユニット1を電力スイッチハブアッセンブリとして設置し、電力入力端A、電気メーターモジュール10を含む。該電力入力端Aは少なくとも１個の電力スイッチ型態を呈する負荷或いは出力端11を連接し、該電気メーターモジュール10は該電力入力端A及び負荷或いは出力端11の間に設置する。該電気メーターモジュール10は各電力スイッチリアエンド回路が使用した電力を計測可能で、同時に該電気メーターモジュール10上の入力ユニット105を操作し、各回路の電力使用情報の表示及び関連計測機能の設定を変更することができる。すなわち、本考案の電力計量装置は電気製品或いは電力回路フロントエンドに結合、使用し、これにより使用者はこのタイプの装置を使用及び操作することで、電力消費の状況を明確に知ることができ、各種電気製品及び使用場所の使用電力を計算することができるようになる。
【図面の簡単な説明】
【００１０】
【図１】公知の計量電気メーターの立体指示図である。
【図２】本考案主要機能構造のブロックチャートである。
【図３】電気メーターモジュールの機能構造ブロックチャートである。
【図４】本考案結合挿入台の実施例指示図である。
【図５】本考案結合延長コード挿入台の実施例指示図である。
【図６】本考案結合電気鍋の実施例指示図である。
【図７】本考案結合電力スイッチハブアッセンブリの実施例指示図である。
【符号の説明】
【００１１】
1  電気ユニット
10  電気メーターモジュール
101  探知ユニット
102  処理ユニット
103  保存ユニット
104  表示ユニット
105  入力ユニット
11  負荷或いは出力端
A  電力入力端
【図１】
0003132583.tif 000003
【図２】
0003132583.tif 000004
【図３】
0003132583.tif 000005
【図４】
0003132583.tif 000006
【図５】
0003132583.tif 000007
【図６】
0003132583.tif 000008
【図７】
0003132583.tif 000009